【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】記録装置、記録方法及び記録媒体
【手続補正２】
【補正対象書類名】明細書
【補正対象項目名】特許請求の範囲
【補正方法】変更
【補正の内容】
【特許請求の範囲】
【請求項１】
記録情報を１又は２以上の所定の記録単位の集合として記録する第１の記録領域と、前記記録情報を制御するための制御情報を記録する第２の記録領域とを有する記録媒体に情報を記録する記録装置であって、
前記録情報は、１又は複数の前記記録単位を含む１又は複数の第１記録単位と、１又は複数の前記記録単位から構成される１又は複数の第２記録単位とを有し、
前記制御情報は、前記第１記録単位が保護されるか否かを示す第１識別情報と、前記第２記録単位が保護されるか否かを示す第２識別情報とを有し、
前記記録媒体に情報を記録する際、前記第１識別情報及び第２識別情報を設定し前記第２記録領域に記録する制御を行う制御手段と、
を備えることを特徴とする記録装置。
【請求項２】
前記第１識別情報は、対応する前記第１記録単位が論理的な消去状態にあるか否かを示す情報であることを特徴とする請求項１記載の記録装置。
【請求項３】
前記第２識別情報は、対応する前記第２記録単位が保護されるか否かを示す情報であることを特徴とする請求項１又は２に記載の記録装置。
【請求項４】
前記第１識別情報及び第２識別情報はそれぞれ、前記第１記録単位及び第２記録単位の消去又は編集を禁止するための情報であることを特徴とする請求項１又は２に記載の記録装置。
【請求項５】
前記第１識別情報及び第２識別情報はそれぞれ、
前記第１記録単位及び第２記録単位が編集可能であることを示す第１の状態、前記第１記録単位及び第２記録単位の消去又は編集が禁止されることを示す第２の状態、前記第１記録単位及び第２記録単位が論理的な消去状態であることを示す第３の状態、前記第１記録単位及び第２記録単位の物理的な消去を許容することを示す第４の状態、のいずれかの状態を示す情報であることを特徴とする請求項１又は２に記載の記録装置。
【請求項６】
記録情報を１又は２以上の所定の記録単位の集合として記録する第１の記録領域と、前記記録情報を制御するための制御情報を記録する第２の記録領域とを有する記録媒体に情報を記録する記録方法であって、
前記記録情報は、１又は複数の前記記録単位を含むｌ又は複数の第１記録単位と、１又は複数の前記記録単位から構成される１又は複数の第２記録単位とを有し、
前記制御情報は、前記第１記録単位が保護されるか否かを示す第１識別情報と、前記第２記録単位が保護されるか否かを示す第２識別情報とを有し、
前記記録媒体に情報を記録する際、前記第１識別情報及び第２識別情報を設定し前記第２記録領域に記録する制御を行う制御工程と、
を備えることを特徴とする記録方法。
【請求項７】
前記第１識別情報は、対応する前記第１記録単位が論理的な消去状態にあるか否かを示す情報であることを特徴とする請求項６記載の記録方法。
【請求項８】
前記第２識別情報は、対応する前記第２記録単位が保護されるか否かを示す情報であることを特徴とする請求項６又は７に記載の記録方法。
【請求項９】
前記第１識別情報及び第２識別情報は、それぞれ前記第１記録単位及び第２記録単位の消去又は編集を禁止するための情報であることを特徴とする請求項６又は７に記載の記録方法。
【請求項１０】
前記第１識別情報及び第２識別情報はそれぞれ、
前記第１記録単位及び第２記録単位が編集可能であることを示す第１の状態、前記第１記録単位及び第２記録単位の消去又は編集が禁止されることを示す第２の状態、前記第１記録単位及び第２記録単位が論理的な消去状態であることを示す第３の状態、前記第１記録単位及び第２記録単位の物理的な消去を許容することを示す第４の状態、のいずれかの状態を示す情報であることを特徴とする請求項６又は７に記載の記録方法。
【請求項１１】
記録情報が１又は２以上の所定の記録単位の集合として記録される第１の記録領域と、前記記録情報を制御するための制御情報が記録される第２の記録領域とを有する記録媒体であって、
前記録情報は、１又は複数の前記記録単位を含む１又は複数の第１記録単位と、１又は複数の前記記録単位から構成される１又は複数の第２記録単位とを有し、
前記制御情報は、前記第１記録単位が保護されるか否かを示す第１識別情報と、前記第２記録単位が保護されるか否かを示す第２識別情報とを有し、
前記第１識別情報及び第２識別情報が前記第２記録領域に記録されることを特徴とする記録媒体。
【請求項１２】
前記第１識別情報は、対応する前記第１記録単位が論理的な消去状態にあるか否かを示す情報であることを特徴とする請求項１１記載の記録媒体。
【請求項１３】
前記第２識別情報は、対応する前記第２記録単位が保護されるか否かを示す情報であることを特徴とする請求項１１又は１２に記載の記録媒体。
【請求項１４】
前記第１識別情報及び第２識別情報はそれぞれ、前記第１記録単位及び第２記録単位の消去又は編集を禁止するための情報であることを特徴とする請求項１１又は１２に記載の記録媒体。
【請求項１５】
前記第１識別情報及び第２識別情報はそれぞれ、
前記第１記録単位及び第２記録単位が編集可能であることを示す第１の状態、前記第１記録単位及び第２記録単位の消去又は編集が禁止されることを示す第２の状態、前記第１記録単位及び第２記録単位が論理的な消去状態であることを示す第３の状態、前記第１記録単位及び第２記録単位の物理的な消去を許容することを示す第４の状態、のいずれかの状態を示す情報であることを特徴とする請求項１１又は１２に記載の記録媒体。
【手続補正３】
【補正対象書類名】明細書
【補正対象項目名】０００８
【補正方法】変更
【補正の内容】
【０００８】
【課題を解決するための手段】
上記目的を達成するため本発明は、記録情報を１又は２以上の所定の記録単位の集合として記録する第１の記録領域と、前記記録情報を制御するための制御情報を記録する第２の記録領域とを有する記録媒体に情報を記録する記録装置であって、前記録情報は、１又は複数の前記記録単位を含む１又は複数の第１記録単位と、１又は複数の前記記録単位から構成される１又は複数の第２記録単位とを有し、前記制御情報は、前記第１記録単位が保護されるか否かを示す第１識別情報と、前記第２記録単位が保護されるか否かを示す第２識別情報とを有し、前記記録媒体に情報を記録する際、前記第１識別情報及び第２識別情報を設定し前記第２記録領域に記録する制御を行う制御手段と、を備えることを特徴とする。
【手続補正４】
【補正対象書類名】明細書
【補正対象項目名】００１０
【補正方法】変更
【補正の内容】
【００１０】
また、記録情報を１又は２以上の所定の記録単位の集合として記録する第１の記録領域と、前記記録情報を制御するための制御情報を記録する第２の記録領域とを有する記録媒体に情報を記録する記録方法であって、前記記録情報は、１又は複数の前記記録単位を含むｌ又は複数の第１記録単位と、１又は複数の前記記録単位から構成される１又は複数の第２記録単位とを有し、前記制御情報は、前記第１記録単位が保護されるか否かを示す第１識別情報と、前記第２記録単位が保護されるか否かを示す第２識別情報とを有し、前記記録媒体に情報を記録する際、前記第１識別情報及び第２識別情報を設定し前記第２記録領域に記録する制御を行う制御工程と、を備えることを特徴とする。
【手続補正５】
【補正対象書類名】明細書
【補正対象項目名】００１１
【補正方法】変更
【補正の内容】
【００１１】
かかる記録方法によると、識別情報を消去や保護などの識別情報にし、これらの識別情報を所定の記録単位毎に割り当てて管理することで、記録情報を様々な態様で編集したり、管理することができる。
【手続補正６】
【補正対象書類名】明細書
【補正対象項目名】００１２
【補正方法】削除
【補正の内容】
【手続補正７】
【補正対象書類名】明細書
【補正対象項目名】００７５
【補正方法】変更
【補正の内容】
【００７５】
【発明の効果】
以上説明したように本発明の記録装置によれば、記録情報を１又は２以上の所定の記録単位の集合として記録する第１の記録領域と、第１の記録領域に記録される記録情報を制御するための制御情報を記録する第２の記録領域とを有する記録媒体において、第１の記録領域に記録される記録情報の管理状態を記録単位で識別させる識別情報を、上記第２の記録領域に記録させることとしたので、識別情報を消去や保護などの識別情報にし、これらの識別情報を所定の記録単位毎に割り当てて管理することで、記録情報を様々な態様で編集したり、管理することができる。
【手続補正８】
【補正対象書類名】明細書
【補正対象項目名】００７６
【補正方法】変更
【補正の内容】
【００７６】
また、本発明の記録方法によれば、記録情報を１又は２以上の所定の記録単位の集合として記録する第１の記録領域と、第１の記録領域に記録される記録情報を制御するための制御情報を記録する第２の記録領域とを有する記録媒体に記録情報を記録する記録方法であって、第１の記録領域に記録される記録情報の管理状態を記録単位で識別させる識別情報を、第２の記録領域に記録させる制御工程を有することとしたので、識別情報を消去や保護などの識別情報にし、これらの識別情報を所定の記録単位毎に割り当てて管理することで、記録情報を様々な態様で編集したり、管理することができる。